(57)【要約】【課題】パチンコ玉磨き用の布ベルト１０に生じた毛玉を生地を傷めることなく機械的且つ効率的に除去する。【解決手段】周囲を壁面で囲まれた密閉室１４を備え、この密閉室１４内に被処理物１１を展開水平状態で移送させるための水平移送経路１７を形成し、この水平移送経路１７の真上に、この水平移送経路１７より数ｍｍ〜数ｃｍ高い位置に配置された下向きのブラシ面２０ａを具備したブラシ体２０を縦軸２６ａ、２６ｂ、２７ａ、２７ｂ回りの回転駆動可能に設けた構成となす。【選択図】　　　　図１
2004024612.tif 000002
【特許請求の範囲】
【請求項１】
周囲を壁面で囲まれた密閉室を備え、この密閉室内に被処理物を展開水平状態で移送させるための水平移送経路を形成し、この水平移送経路の真上に、この水平移送経路より数ｍｍ〜数ｃｍ高い位置に配置された下向きのブラシ面を具備したブラシ体を縦軸回りの回転駆動可能に設けたことを特徴とするパチンコ玉磨き用布ベルトの毛玉除去装置。
【請求項２】
ブラシ体を複数となして、これらを被処理物の巾方向及び前後方向へ特定間隔で配設し、前記複数のブラシ体のブラシ面が被処理物の全巾を摺擦することを特徴とする請求項１記載のパチンコ玉磨き用布ベルトの毛玉除去装置。
【請求項３】
前記ブラシ体の回転速度が毎分凡そ数千回転程度以上であることを特徴とする請求項１又は２記載のパチンコ玉磨き用布ベルトの毛玉除去装置。
【請求項４】
被処理物を前記水平移送経路上で特定方向へ送り移動させるための送り力付与装置を設けたことを特徴とする請求項１、２又は３記載のパチンコ玉磨き用布ベルトの毛玉除去装置。
【請求項５】
前記ブラシ面の摺擦作用により被処理物から分離されて付着した状態となっている毛玉を吸引空気流により被処理物から分離させるものとした付着物吸引分離装置を設けたことを特徴とする請求項１、２、３又は４記載のパチンコ玉磨き用布ベルトの毛玉除去装置。
【請求項６】
前記密閉室内の繊維浮遊物を除去する空気浄化装置を設けたことを特徴とする請求項１、２、３、４又は５記載のパチンコ玉磨き用布ベルトの毛玉除去装置。
【発明の詳細な説明】
【０００１】
【産業上の利用分野】
本発明は、パチンコ玉磨き用布ベルトの毛玉除去装置に関する。
【０００２】
【従来の技術】
パチンコホールには、遊技者により一群のパチンコ台内に打ち込まれたパチンコ玉を搬送始端に受け入れて研磨しながらパチンコ玉供給箱内へ向けて送り移動させるものとした還元機と称されるパチンコ玉研磨送り装置が設置されている。
【０００３】
この還元機の概要を図６及び図７を参照して説明すると、駆動プーリ１と上部ローラ２とに無端状の皮ベルト３を掛け回すと共に、この皮ベルト３を緊張させるためのテンションローラ４を設けて本体部１００を形成し、さらに前記皮ベルト３に対向させて縦長のガイドレール５を並設している。この際、１００ａは本体部フレーム、１００ｂは皮ベルト案内部材である。
【０００４】
前記ガイドレール５は縦長のケース部材６、圧縮スプリング７及びウレタン案内部材８を具備しており、ウレタン案内部材８は皮ベルト３側の一面を案内面８ａとなされ、この案内面８ａに複数（図示例では７つ）の縦向き案内溝９を並設されると共に、背面をケース部材６の底面部６ａに支持された圧縮スプリング７の弾力で押圧されている。
【０００５】
前記ガイドレール５の外周囲にはパチンコ玉磨き用の布ベルト１０を密接させてあって、この布ベルト１０を前記底面部６ａの外面上にてベルト固定具１１ａ、１１ｂにより固定している。この際、布ベルト１０は綿及び化繊からなる混紡糸で織成された帯状布で、例えば、巾を凡そ１０ｃｍ〜２０ｃｍ程度となされ、長さを凡そ２０ｍ程度となされている。そして、この布ベルト１０はその裏面が前記ウレタン案内部材８の案内面８ａに当接された状態となっている。
【０００６】
前記駆動プーリ１の下半部にはパチンコ玉１２を外部から受け入れて皮ベルト３と布ベルト１０との間へ移送させるものとした玉受入れ部１３が装設されており、この玉受入れ部１３に矢印方向ａからパチンコ玉１２が供給される。
【０００７】
上記還元機において、玉受入れ部１３にパチンコ玉１２が供給されると、このパチンコ玉１２は駆動プーリ１の回転により回転移動される皮ベルト３から移送力を付与されて皮ベルト３と布ベルト１０との間に移送され、ここに移送されたパチンコ玉１２は圧縮スプリング７の弾力によりウレタン案内部材８を介して皮ベルト３と布ベルト１０とに挟圧された状態となり、この後、皮ベルト３の移送力によりパチンコ玉１２は布ベルト１０上を縦向き案内溝９に案内されつつ転動され、その表面を布ベルト１０で摺擦されてそれに付着した汚れを除去されつつ上昇変位され、最後には上部ローラ２の位置に達して皮ベルト３と布ベルト１０との間から矢印方向ｂへ向かうように送り出されると共に図示しない搬送手段を経てパチンコ玉供給箱内に移送される。
【０００８】
上記布ベルト１０は１日間使用されると、パチンコ玉１２の汚れが多く付着してその清掃能力が低下するため、通常では１日間使用する毎にその上下位置をずらして、その新しい部分を前記案内面８ａ上に位置させるようになされる。従って、還元機の上下方向全長が５ｍ程度であれば、布ベルト１０は凡そ４日間程度で使用し尽くされて新しいものと交換する必要が生じるのであり、この際、使用済みの布ベルト１０は再生処理を実施された後、新しいものとして使用されるものとなる。
【０００９】
【発明が解決しようとする課題】
上記した使用済みの布ベルト１０はその使用によりパチンコ玉１２の汚れが付着することに加えて、その裏面が前記案内面８ａの複数の縦向き案内溝９に繰り返して押圧されて擦られるために、多くの毛玉が生じた状態となるのであり、従ってその再生処理においては、単に洗濯するに止まらず、その裏面から毛玉を分離させる処理を行うことが必要となり、多大な手間を要するのである。
【００１０】
本発明は、斯かる問題点に鑑みて創案されたもので、パチンコ玉磨き用の布ベルト１０に生じた毛玉を生地を傷めることなく効率的に除去することを可能とした毛玉除去装置を提供することを目的とする。
【００１１】
【課題を解決するための手段】
上記目的を達成するため、本発明では請求項１に記載したように、周囲を壁面で囲まれた密閉室を備え、この密閉室内に被処理物を展開水平状態で移送させるための水平移送経路を形成し、この水平移送経路の真上にこの水平移送経路より数ｍｍ〜数ｃｍ高い位置に配置された下向きのブラシ面を具備したブラシ体を縦軸回りの回転可能に設けた構成となす。
【００１２】
この発明において、前記ブラシ体はその回転により空気流を生じさせて前記ブラシ面へ向かう吸引力を発生させ、この吸引力が前記水平移送経路上で展開状態となされた被処理物を前記ブラシ面に適当力で当接させ、この当接中に、前記ブラシ面が被処理物の上面に生じている毛玉を掻き取って分離させる。そして前記密閉室はこの分離された毛玉の飛散を阻止する。
【００１３】
上記発明は次のように具体化することができる。
即ち、請求項２に記載したように、ブラシ体を複数となし、これらを被処理物の巾方向及び前後方向へ特定間隔で配設し、前記複数のブラシ体のブラシ面が被処理物の全巾を摺擦する構成となす。これによれば、単一のブラシ体で被処理物の全巾を摺擦する場合に較べて、各ブラシ面の直径が小さくて済むものとなり、ブラシ体による被処理物の姿勢悪化現象（ブラシ体の回転方向への捩れ現象）作用が軽減される。
【００１４】
また請求項３に記載したように、前記ブラシ体の回転速度が毎分凡そ数千回転程度以上である構成となす。これによれば、ブラシ面の回転による被処理物の吸引力や、ブラシ面による被処理物の摺擦力が適当な大きさとなる。
【００１５】
また請求項４に記載したように、被処理物を前記水平移送経路上で特定方向へ送り移動させるための送り力付与装置を設けた構成となす。これによれば、被処理物が動力で的確に送り移動されるものとなり、被処理物の処理が省力的となる。
【００１６】
また請求項５に記載したように、前記ブラシ面の摺擦作用により被処理物から分離されて付着した状態となっている毛玉を吸引空気流により被処理物から分離させるものとした付着物吸引分離装置を設けた構成となす。これによれば、被処理物に付着した毛玉が省力的且つ能率的に分離されるものとなる。
【００１７】
さらには請求項６に記載したように、前記密閉室内の繊維浮遊物を除去する空気浄化装置を設けた構成となす。これによれば、密閉室内の繊維浮遊物が除去されて空気が浄化されるため、前記ブラシ面の摺擦により一旦、分離された微細な毛玉が再び密閉室内で被処理物に付着する現象が阻止されるようになる。
【００１８】
【実施の形態】
図１は本発明に係る毛玉除去装置の一実施例を示す斜視図、図２前記毛玉除去装置のブラシ体周辺を示す作動説明図、図３は一つのブラシ体を示す斜視図、図４は前記ブラシ体の配列を示す平面図である。
図１及び図２において、１４は周囲を上面部１４ａ、下面部１４ｂ、前面部１４ｃ、後面部１４ｄ、左側面部１４ｅ及び右側面部１４ｆなどの壁面で囲まれていて左側面部１４ｅ又は右側面部１４ｆを開放可能となされた密閉室であり、前面部１４ｃ、後面部１４ｄ、左側面部１４ｅ及び右側面部１４ｆは何れもその大部分をガラスなどの透視材料で形成されている。そして、１５は付着物吸引分離装置、１６は送り力付与装置である。
【００１９】
前記密閉室１４内には被処理物である布ベルト１０を展開水平状態で移送させるための水平移送経路１７が形成されている。この水平移送経路１７は、下面部１４ｂ近傍高さの前面部１４ｃ箇所に形成された左右方向へ長い入口側案内孔１８ａと、下面部１４ｃ近傍高さの後面部１４ｄ箇所に形成された左右方向へ長い細長状の出口側案内孔１８ｂと、前面部１４ｃの外面で前記入口側案内孔１８ａに対応するように装着された入口側ローラ１９ａと、後面部１４ｄの外面で前記出口側案内孔１８ｂに対応するように装着された出口側ローラ１９ｂとを前後方向ｆ１へ配列したものとなされている。
【００２０】
前記密閉室１４の内方で前記水平移送経路１７の真上には、この水平移送経路１７より数ｍｍ〜数ｃｍ高くなるように位置された下向きブラシ面２０ａ（図３参照）を具備した４個のブラシ体２０が駆動装置２１による回転駆動可能に配設されている。各ブラシ体２０は図３に示すように円筒金具２２の内面全周囲にナイロン材などからなるブラシ毛２３を概ね回転中心線２４向きに植設されたものとなされている。そして、４個のブラシ体２０は図２及び図４に示すように、２つのブラシ体２０が被処理物の異なる巾方向範囲を摺擦するように配置して効率的で均等な摺擦ができるものとなし、また４つのブラシ体２０の摺擦範囲ｃが左右方向から見て相互に少し重なると共に相互の干渉の生じないように前後方向ｆ１及び左右方向ｆ２へ適当に離間された状態となるコンパクトな配列となして、布ベルト１０の全巾を効率的且つ均等に摺擦できるものとなしている。
【００２１】
前記駆動装置２１は２つのモータ２５ａ、２５ｂと、これらのモータ２５ａ、２５ｂの回転速度を増大させるためのベルト伝動式増速機構２６とを備えており、この増速機構２６はそれぞれのモータ２５ａ、２５ｂの図示しない出力軸の回転速度を凡そ２倍程度（毎分５０００回転〜６０００回転程度）に増大させて一方のモータ２５ａに対応した２本の縦向き出力軸２６ａ、２７ａと、他方のモータ２５ｂに対応した２本の縦向き出力軸２６ｂ、２７ｂとに伝達するものとなされている。そして、各縦向き出力軸２６ａ、２６ｂ、２７ａ、２７ｂの下端に１つのブラシ体２０が固定されており、各ブラシ体２０はその対応する縦向き出力軸２６ａ、２６ｂ、２７ａ、２７ｂと一体となって回転するものとなされている。
【００２２】
前記密閉室１４に関連して、この密閉室内の空気を浄化するための空気浄化装置２８が装設されており、この空気浄化装置２８は、下面部１４ｂの左右各箇所に空気吸引口２９ａと空気送出口２９ｂとを設けて、これら空気吸引口２９ａと空気送出口２９ｂとを風路３０で連通させ、この風路３０の長さ途中箇所に塵埃を除去するためのフィルタ３１と、前記空気吸引口２９ａから空気送出口２９ｂへ密閉室１４内の空気を循環させるためのファン３２とを設けた構造となされている。
【００２３】
前記付着物吸引分離装置１５は２本の直状管３３、３４とこれらに負圧を付与するための空気吸引手段３５とを設けたものとなされている。２本の直状管３３、３４は出口側ローラ１８ｂに関連して配設され、各直状管３３、３４と布ベルト１０との接触箇所の前後２箇所の左右方向部分に細長状の透孔３３ａ、３３ｂ、３４ａ、３４ｂを形成したものとなされている。そして、空気吸引手段３５は前記直状管３３、３４に連通された吸引管３６とこの吸引管３６に吸引力を付与するものとした図示しない空気吸引ポンプとからなり、この空気吸引ポンプの作動により前記透孔３３ａ、３３ｂ、３４ａ、３４ｂを通じて大気を直状管３３、３４の内方へ吸引するように作動するものとなされている。
【００２４】
前記送り力付与装置１６は付着物吸引分離装置１５の後側に配設されて近接離反自在となされた一対の駆動ローラ３７ａ、３７ｂと、これら駆動ローラ３７ａ、３７ｂを近接させる側へ付勢するための図示しない押圧手段とを備えてなり、これら駆動ローラ３７ａ、３７ｂが布ベルト１０を挟圧した状態で回転駆動することにより布ベルト１０を後方へ送り変位させるものとなされている。この際、各駆動ローラ３７ａ、３７ｂは周面を摩擦係数の大きい部材（ゴム材、樹脂材など）で形成される。
図中、３８は各部を始動或いは停止させるためのスイッチである。
【００２５】
次に上記のように構成した本発明装置の使用例及び作動について説明する。
還元機から取り外されて洗濯された後の多数の布ベルト１０を密閉室１４の前側に用意しておく。そして、その一つづつを本発明装置により処理する。
【００２６】
任意な１つの布ベルト１０を処理する場合について説明すると、作業者は左側面部１４ｅを一時的に開放するなどして水平移送経路１７上に布ベルト１０を位置させるのであり、具体的には、布ベルト１０の裏面を上側にした状態で、この布ベルト１０の一端部を前面部１４ｃの入口側ローラ１９ａに案内させ、次に入口側案内孔１８ａを挿通させて密閉室１４内の下面部１４ｂ上に導き、次に出口側案内孔１８ｂを挿通させて後面部１４ｄの外側へ導き、次に出口側ローラ１９ｂに案内させて斜め下方へ導き、次に下側の直状管３３の下側を経て上方へ導き、次に上側の直状管３４の上側を経て斜め下方へ導き、最後に一対の駆動ローラ３７ａ、３７ｂの間を通過させた状態とする。
【００２７】
この際、入口側案内孔１８ａ及び出口側案内孔１８ｂは布ベルト１０の上下面に強く当接せず或いは全く当接するものとならず、主に布ベルト１０の左右方向位置を規制してその位置を水平移送経路１７上に合致させるように作用する。
【００２８】
この後、スイッチ３８を操作して各部を作動状態とする。
これによりモータ２５ａ、２５ｂが始動し、駆動装置２１の各縦向き出力軸２６ａ、２６ｂ、２７ａ、２７ｂ及びこれに固定されたブラシ体２０が毎分５０００〜６０００回転程度の速度で回転され、この回転に伴ってブラシ毛２３に付与される遠心力が各ブラシ体２０のブラシ毛２３を図２中の仮想線ｄ１の状態から実線ｅで示すハ状態に弾性変形させる。そして、各ブラシ体２０の実線ｅで示す状態のブラシ毛２３群の下面が１つのブラシ体２０の摺擦可能範囲となる。
【００２９】
また各ブラシ体２０の回転は各ブラシ体２０のブラシ面２０ａと布ベルト１０との間にある空気をブラシ体２０と共に回転させるのであり、この回転により前記空気が遠心力を受けてブラシ体２０の半径外方向へ向け流動するようになるのであり、この流動はブラシ面２０ａと布ベルト１０との間に負圧を生成させ、この負圧が図２に示すように、ブラシ面２０ａより数ｍｍ〜数十ｍｍ程度下方に位置した下面部１４ｂ上の布ベルト１０を浮上させて、その裏面をなす上面をブラシ面２０ａに適当力で当接させる。
【００３０】
４つのブラシ体２０のそれぞれは各ブラシ面２０ａで布ベルト１０の上面の異なる範囲を摺擦し、これらブラシ体２０の全体で布ベルト１０の全巾を摺擦するものとなる。各ブラシ体２０は本実施例では何れも同じ方向へ回転されるのであり、この際、ブラシ体２０が複数であることが、各ブラシ体２０の回転による布ベルト１０の捩り変形を、ブラシ体２０が１つしか設けられない場合のそれに較べて軽減させるものとなる。
【００３１】
前記ブラシ面２０ａで摺擦された布ベルト１０の裏部分はここに生成されて布ベルト１０に結合状態となっている多数の毛玉や毛羽を掻き取られるのであり、掻き取られた毛玉などは密閉室１４内の下面部１４ｂ上に落下したり密閉室１４内の空気中に浮遊するほか、再び布ベルト１０上に付着したりする。
【００３２】
上記のように処理される布ベルト１０はブラシ体２０の回転作動中、送り力付与装置１６の駆動ローラ３７ａ、３７ｂの回転による送り力を付与されて適当速度で前側から後側へ向け送り変位されるのであり、従って布ベルト１０の裏面はその長手方向のほぼ全範囲をブラシ面２０ａにより過不足無く摺擦され布ベルト１０に結合している毛玉などを効率的に布ベルト１０から分離される。
【００３３】
密閉室１４内で布ベルト１０から分離された毛玉のうち軽いものや毛羽などの軽い繊維はブラシ体２０の回転中常に作動している空気浄化装置２８のファン３２により空気吸引口２９ａから空気と一緒に風路３０内に連続的に吸引され、フィルタ３１に分離除去されてフィルタ３１より上流側の風路３０内に漸次集積される。従って、密閉室１４内の空気は常に浄化され、布ベルト１０から分離された毛玉や毛羽などが再び布ベルト１０に付着する現象は効果的に抑制されるのである。なお、フィルタ３１箇所に集積された毛玉や毛羽などは作業者により適時に取り除かれる。
【００３４】
上記のようにブラシ体２０による摺擦処理を受けた後の布ベルト１０は送り力付与装置１６の送り作用によりやがて付着物吸引分離装置１５に達する。そして、先ず下側の直状管３３に達したときその布ベルト１０の裏面部分はここに付着した毛玉などをその透孔３３ａ、３３ｂの内方へ流れ込む空気流で吸引除去され、次に上側の直状管３４に達したときその布ベルト１０の反対面部分はここに付着した毛玉などをその透孔３４ａ、３４ｂの内方へ流れ込む空気流で吸引除去される。
【００３５】
以上のような処理により、１つの布ベルト１０はそのほぼ全長に渡って自動的に、その裏面に生成された毛玉や毛羽などを分離除去された状態となる。なお、各布ベルト１０の先端部と後端部との毛玉の処理は本発明装置では行えないため、人手で補完するようになされる。
【００３６】
上記実施例は次のように変形することができる。
即ち、ブラシ体２０の数は布ベルト１０の巾や密閉室１４内の前後長さやブラシ体２０の直径などに関連して適宜変更して差し支えないのであり、またブラシ体２０の形態も図３に示すものに限定するものではなく、例えば、図５に示すように円形板３９の前面の全域にブラシ毛４０を植設し、これらブラシ毛４０群の先端面ｇを略平面状になしたようなものでも差し支えない。またブラシ体２０の回転速度を可変となしたり、また各ブラシ体２０の回転方向を適宜に変更することも差し支えない。
【００３７】
また付着物吸引分離装置１５も種々に変形して差し支えないのであり、この際、布ベルト１０に作用する摩擦力は出来るだけ小さいものとなすことが好ましいのであって、例えば直状管３３、３４の周面に摩擦係数の少ない樹脂材などを被着することも有効である。
【００３８】
また送り力付与装置１６の一対の駆動ローラ３７ａ、３７ｂの回転速度を任意に変更できるようにして布ベルト１０の送り速度を可変となすことも可能であり、また一対の駆動ローラ３７ａ、３７ｂの何れか一方を回転自在に軸支された非駆動のローラとなすことも差し支えない。
【００３９】
さらには送り力付与装置１６を省略して人手で布ベルト１０を送り移動させることも差し支えない。また空気浄化装置２８を省略することも可能であり、この場合には密閉室１４内に堆積する毛玉などを頻繁に排除することが必要となる。
【００４０】
【発明の効果】
以上のように構成した本発明によれば、次のような効果が得られる。
即ち、請求項１に記載したものによれば、被処理物である布ベルト１０が水平移送経路１７に沿って送り変位される過程でブラシ体２０の駆動回転による吸引力によりブラシ体２０のブラシ面２０ａに適当力で圧接され、この圧接状態でブラシ体２０に摺擦されるようになるのであり、従って、布ベルト１０を損傷させることなく、これに結合した毛玉などを能率的且つ省力的に分離させることができるものである。
【００４１】
請求項２に記載したものによれば、単一のブラシ体２０で布ベルト１０の全巾を摺擦する場合に較べて、各ブラシ体２０のブラシ面２０ａの直径を小さくなすことができるほかブラシ体２０の回転によるその回転方向への布ベルト１０の捩れ現象を軽減させることができる。
【００４２】
請求項３に記載したものによれば、ブラシ面２０ａに近接する方向への布ベルト１０の吸引力や、ブラシ面２０ａによる布ベルト１０の摺擦力を適当な大きさとなすことができる。
【００４３】
請求項４に記載したものによれば、布ベルト１０を動力で的確に送り移動させることにより、その処理を省力的となすと共にブラシ体２０による布ベルト１０の摺擦斑を抑制してその処理結果を高品質化させることができる。
【００４４】
請求項５に記載したものによれば、布ベルト１０に非結合状態で付着している毛玉や毛羽などを省力的且つ能率的に除去することができる。
【００４５】
請求項６に記載したものによれば、ブラシ体２０の摺擦により布ベルト１０から一旦、分離された微細な毛玉などが再び密閉室１４内で布ベルト１０に付着する現象を効果的に阻止することができる。
【図面の簡単な説明】
【図１】
本発明に係る毛玉除去装置の一実施例を示す斜視図である。
【図２】
前記ブラシ体の周辺を示す作動説明図である。
【図３】
前記毛玉除去装置の一つのブラシ体を示す斜視図である。
【図４】
前記ブラシ体の配列を示す平面図である。
【図５】
前記ブラシ体の変形例を示す斜視図である。
【図６】
パチンコ玉の還元機の概要を示す側面図である。
【図７】
前記還元機を示しＡは側面視断面図でＢはｘ−ｘ部を示す断面図である。
【符号の説明】
１１　布ベルト（被処理物）
１４　密閉室
１４ａ　上面部（壁面）
１４ｂ　下面部（壁面）
１４ｃ　前面部（壁面）
１４ｄ　後面部（壁面）
１４ｅ　左側面部（壁面）
１４ｆ　右側面部（壁面）
１５　付着物吸引分離装置
１６　送り力付与装置
１７　水平移送経路
２０　ブラシ体
２０ａ　ブラシ面
２６ａ　縦向き出力軸（縦軸）
２６ｂ　縦向き出力軸（縦軸）
２７ａ　縦向き出力軸（縦軸）
２７ｂ　縦向き出力軸（縦軸）
２８　空気浄化装置
【図１】
2004024612.tif 000003
【図２】
2004024612.tif 000004
【図３】
2004024612.tif 000005
【図４】
2004024612.tif 000006
【図５】
2004024612.tif 000007
【図６】
2004024612.tif 000008
【図７】
2004024612.tif 000009